(57)【要約】【課題】ベビーカー同伴者に最適なサービスを提供することにある。【解決手段】ホール側にベビーカー同伴者用ホールボタン１２、ホール側音声発生器１３及びベビーカーサービス灯１６が設け、乗りかご側に乗りかご利用状況を検出する荷重検出器１６及びかご内音声発生器２５が設けられている。また、運行制御系３０は、ベビーカー同伴者用ホールボタンからかご呼び登録を受けると、各乗りかごの荷重検出器１６の信号に基づき、ベビーカー同伴者の乗車に最適な乗りかごを割付け運転指示する割付け運行制御手段３２ａと、この運転指示に基づき、サービス灯を点灯し、ホール側音声発生器からベビーカー同伴者乗車案内メッセージを報知するホール案内報知手段３１ａと、運転指示に基づきベビーカー同伴者待機階に移動する際、かご内音声発生器からベビーカー同伴者乗車案内メッセージを報知するかご内案内報知手段３１ｂとが設けられている。【選択図】    図１
2004250150.tif 000002
【特許請求の範囲】
【請求項１】
エレベータホールの号機毎に設けられ、かご呼び登録を行うベビーカー同伴者用ホールボタン及びベビーカー非利用者用ホールボタンと、
前記各号機の乗りかごに設けられ、当該乗りかごの利用状況を検出する利用状況検出手段と、
前記ベビーカー同伴者用ホールボタンからかご呼び登録を受けた場合、前記各乗りかごの利用状況検出手段からの信号に基づき、ベビーカー同伴者が乗車可能な乗りかごを割付け、ベビーカー同伴者待機階へ運転を指示する割付け運行制御手段と
を設けたことを特徴とするエレベータの運行管理システム。
【請求項２】
請求項１に記載のエレベータの運行管理システムにおいて、
前記ベビーカー非利用者用ホールボタンは、一般利用者用ホールボタン及び車いす利用者用ホールボタンのうち、少なくとも一般利用者用ホールボタンを有することを特徴とするエレベータの運行管理システム。
【請求項３】
請求項１又は請求項２に記載のエレベータの運行管理システムにおいて、
前記エレベータホールの号機毎に設けられたベビーカーサービス灯及びホール側音声発生器と、
前記割付け運行制御手段からの運転指示に基づき、対応する号機のベビーカーサービス灯を点灯し、前記ホール側音声発生器からベビーカー同伴者が乗車する案内メッセージを報知するホール案内報知手段とを設けたことを特徴とするエレベータの運行管理システム。
【請求項４】
請求項１ないし請求項３の何れか一項に記載のエレベータの運行管理システムにおいて、
前記各乗りかご内に設けられたかご内音声発生器と、
前記割付け運行制御手段からの運転指示に基づいて前記ベビーカー同伴者待機階に移動する際、前記かご内音声発生器からベビーカー同伴者が乗車する案内メッセージを報知するかご内案内報知手段とを設けたことを特徴とするエレベータの運行管理システム。
【請求項５】
請求項１または請求項２に記載のエレベータの運行管理システムにおいて、
予め前記ベビーカー同伴者、非ベビーカー利用者に応じた戸開閉時間を記憶する戸開閉時間記憶手段と、
前記割付け運行制御手段により割付けられた乗りかごが運転指示に基づいてベビーカー同伴者待機階に到着したとき、前記ベビーカー同伴者に応じた前記戸開閉時間に従って戸開閉を行う戸開閉制御手段を設けたことを特徴とするエレベータの運行管理システム。
【請求項６】
請求項１に記載のエレベータの運行管理システムにおいて、
エレベータホールの号機毎にかご呼び登録を行う一般利用者用ホールボタン、ベビーカー同伴者ホールボタン及び車いす利用者用ホールごボタンが設けられている場合、
予め一般利用者、ベビーカー同伴者及び車いす利用者に対する乗りかごのかご呼び登録の優先順位及び乗りかごの利用可能データが設定され、
前記割付け運行制御手段は、エレベータホールの号機毎に設けられた各ホールボタンから同時に複数のかご呼び登録があった場合、前記優先順位及び乗りかごの利用可能状況に基づいて所要とする号機の乗りかごを割付けることを特徴とするエレベータの運行管理システム。
【請求項７】
各号機の乗りかご内のかご操作盤に設けられた行先階登録を行うベビーカー同伴者用かごボタン及びベビーカー非利用者用かごボタンと、
前記各乗りかご内に設けられたかご内音声発生器と、
前記ベビーカー同伴者用かごボタンから行先階登録を受けた場合、ベビーカー同伴者が当該行先階に下車することを検出し、当該行先階の到着前に前記かご内音声発生器からベビーカー同伴者が下車する案内メッセージを報知する下車案内報知手段と
を設けたことを特徴とするエレベータの運行管理システム。
【請求項８】
請求項７に記載のエレベータの運行管理システムにおいて、
予め前記ベビーカー同伴者、非ベビーカー利用者に応じた戸開閉時間を記憶する戸開閉時間記憶手段と、
前記ベビーカー同伴者を乗せた乗りかごが前記行先階に到着した場合、前記ベビーカー同伴者に応じた戸開閉時間に従って戸開閉を行う戸開閉制御手段を設けたことを特徴とするエレベータの運行管理システム。
【発明の詳細な説明】
【０００１】
【発明の属する技術分野】
本発明は、ベビーカー同伴者が利用しやすいエレベータの運行管理システムに関する。
【０００２】
【従来の技術】
近年、大手デパートや量販店等においては、集客率を上げる観点から、乳幼児及び乳幼児同伴者向け施設の整備や乳幼児同伴者向けサービス等が行われているが、これら建物に設置されるエレベータに関する限り、特に乳幼児同伴者向けの特別の施策が講じられておらず、ベビーカー同伴者にとって使い勝手の悪いものである。
【０００３】
一方、車いす利用者の場合、各地方行政等の施策もあり、現在かなりエレベータの利用しやすさ等で工夫が講じられている。
【０００４】
その１つは、特開平１０−１６７５８９号公報に記載するように、車いす利用者がエレベータホールのかご呼びボタンを操作すると、号機制御マイコン１０がかご呼び登録処理を行った後、乗りかご内の案内装置２０〜６０から利用客に必要な案内，例えば「３階から車いすかご呼びを受け付けました」を放送し、この放送中は他階の車いすかご呼びの登録を制限する。これにより、一般の利用者は通常のかご呼びでなければ登録できないので、車いすかご呼びの乱用を防ぎ、エレベータ全体の運転効率を向上させることができる。
【０００５】
また、他の１つは、特開平６−３０５６４６号公報に記載するように、乗りかご内に車いす専用操作盤が設けられ、この車いす専用操作盤には行先ボタン及び身障者マーク近傍に応答ランプを有する専用ボタンが設けられている。この専用ボタンが操作されると、所定時間応答ランプを付勢するとともに、健常者よりも長い所定時間の間、行先ボタンの押圧を有効として行先階の登録を可能とする構成である。これによって専用ボタン操作後、所定の時間内のみ行先ボタンに対応した車いす用運転制御を実施する。その結果、健常者の車いす専用操作盤の誤用により停止時間が長くなることによる運転効率の低下を防ぐことが可能ちなる。
【０００６】
【特許文献１】
特開平１０−１６７５８９号公報（図１）
【０００７】
【特許文献２】
特開平０６−３０５６４６号公報（図１）
【０００８】
【発明が解決しようとする課題】
しかし、以上のようなエレベータの運行管理システムは、一般利用者及び車いす利用者を対象として設計されているが、利用が増えつつあるベビーカー利用者を含めたエレベータの利用形態について何ら考えられていない。
【０００９】
本発明は以上のような事情にかんがみてなされたもので、ベビーカー同伴者を一般利用者と区別し、各利用者毎に最適なサービスを実現するエレベーの運行管理システムを提供することを目的とする。
【００１０】
【課題を解決するための手段】
（１）  上記課題を解決するために、本発明に係るエレベータの運行管理システムは、エレベータホールの号機毎に設けられ、かご呼び登録を行うベビーカー同伴者用ホールボタン及びベビーカー非利用者用ホールボタンと、前記各号機の乗りかごに設けられ、当該乗りかごの利用状況を検出する利用状況検出手段と、前記ベビーカー同伴者用ホールボタンからかご呼び登録を受けた場合、前記各乗りかごの利用状況検出手段からの信号に基づき、ベビーカー同伴者が乗車可能な乗りかごを割付け、ベビーカー同伴者待機階に運転を指示する割付け運行制御手段とを設けた構成である。
【００１１】
本発明は以上のような構成とすることにより、ベビーカー同伴者用ホールボタンからかご呼び登録があった場合、ベビーカー同伴者が乗車可能な乗りかごを割付け、ベビーカー同伴者待機階に運転を指示するので、ベビーカー同伴者が待機する階の乗り場に迅速に移動させることができ、ベビーカー同伴者が一般利用者にそれほど迷惑をかけずに比較的容易に乗りかごに乗ることが可能となる。
【００１２】
また、本発明は、前記割付け運行制御手段からの運転指示に基づき、エレベータホールの号機毎に設けられたベビーカーサービス灯を点灯し、さらにエレベータホールの号機毎に設けられたホール側音声発生器からベビーカー同伴者が乗車する案内メッセージを報知すれば、乗りかごの到着時にベビーカー同伴者を優先して乗車させる体制ができており、ひいてはベビーカー同伴者が速やかに乗りかごに乗車可能となり、エレベータの運転効率を向上させることが可能となる。
【００１３】
さらに、割付け運行制御手段からの運転指示に基づいて前記ベビーカー同伴者待機階に移動する際、乗りかご内に設けられたかご内音声発生器からベビーカー同伴者が乗車する案内メッセージを報知するようにすれば、一般利用者が待機階に到着して戸開するまでにベビーカー同伴者が乗車可能なスペースを確保することが可能となる。
【００１４】
さらに、本発明は、前記割付け運行制御手段により割付けられた乗りかごが運転指示に基づいてベビーカー同伴者待機階に到着したとき、ベビーカー同伴者に応じた戸開閉時間に従って戸開閉を行うことにより、一般利用者よりも長い戸開閉時間で戸開閉を行うことになり、ベビーカー同伴者が安心して乗りかごに乗車することが可能となる。
【００１５】
（２）  本発明に係るエレベータの運行管理システムは、各号機の乗りかご内のかご操作盤に設けられた行先階登録を行うベビーカー同伴者用かごボタン及びベビーカー非利用者用かごボタンと、前記各乗りかご内に設けられたかご内音声発生器と、前記かご内操作盤のベビーカー同伴者用かごボタンから行先階登録を受けた場合、ベビーカー同伴者が当該行先階に下車することを検出し、当該行先階の到着前に前記かご内音声発生器からベビーカー同伴者が下車する案内メッセージを報知する下車案内報知手段とを設けた構成である。
【００１６】
本発明は以上のような構成とすることにより、ベビーカー同伴者の行先階到着前に乗りかごに設けられるかご内音声発生器からベビーカー同伴者が下車する案内メッセージを報知するようにすれば、一般利用者がベビーカー同伴者の下車を認識し戸側への誘導を支援するので、ベビーカー同伴者が速やかに所要階に下車することが可能である。
【００１７】
また、前記乗りかごが行先階に到着した場合、ベビーカー同伴者に応じた戸開閉時間に従って戸開閉を行えば、ベビーカー同伴者が安心して乗りかごに乗車することが可能となる。
【００１８】
【発明の実施の形態】
以下、本発明の実施の形態について図面を参照して説明する。
【００１９】
図１は本発明に係わるエレベータの運行管理システムの一実施の形態を示す構成図である。
【００２０】
このエレベータの運行管理システムは、一般利用者（健常者）、車いす利用者及びベビーカー同伴者等のエレベータ利用者の待機場所となるエレベータホール１０と、エレベータ利用者を所要階に運ぶ乗りかご２０と、各号機の乗りかご２０の運行制御を司る運行制御系３０とによって構成されている。
【００２１】
このエレベータホール１０側は、号機毎ホールドア１１の例えば右側ホール壁などにベビーカー同伴者がかご呼び登録を行うベビーカー同伴者用ホールボタン１２及びホール側音声発生器としてのホール側案内スピーカ１３の他、車いす利用者、一般利用者等のベビーカー非利用者がかご呼び登録を行うベビーカー非利用者用ホールボタン１４が設けられている。また、号機毎ホールドア１１の例えば左側上部ホール壁などに乗りかご到着を表示するホールランタン１５及びベビーカー同伴者に対する乗りかご到着を表示するベビーカーサービスランタン１６が設けられている。
【００２２】
前記乗りかご２０には当該かご内部にかご操作盤２１が設けられている。このかご操作盤２１には、図２に示すように各号機Ａ，Ｂ，…毎に一般利用者用かごボタン２２（２２Ａ，２２Ｂ，…）、ベビーカー同伴者用かごボタン２３（２３Ａ，２３Ｂ，…）及び車いす利用者用かごボタン２４（２４Ａ，２４Ｂ，…）が設けられている。
【００２３】
また、乗りかご２０内部には、例えばベビーカー同伴者がかご呼び登録による待機状態にあることを知らせるかご内音声発生器としてのかご内案内スピーカ２５に設置され、必要に応じてかご内の利用人数を検出する利用状況検出器（図示せず）が設けられている。この利用状況検出器としては、例えば乗りかご内に設置されるカメラなどの撮像画像から利用人数を検出するとか、赤外線検出器による熱発生人数から利用人数を検出するとか、或いは受発光素子と加減算カウンタとを用いて、乗りかご内の人数を検出することも可能である。さらに、乗りかご２０の利用状況検出手段としては、乗りかごの荷重から利用状況を検出する荷重検知器２６などが設けられている。
【００２４】
なお、図２は乗りかご内のかご操作盤２１に設けられるボタンについて述べたが、エレベータホール１０側にも図２と同様に一般利用者、ベビーカー同伴者及び車いす利用者等のかご呼び登録用のホールボタンを設けてもよい。
【００２５】
また、乗りかご内のかご操作盤２１に、図３（ａ）に示すように例えば一般利用者とベビーカー同伴者とに分けて行先階を指定可能にするとか、同図（ｂ）に示すように一般利用者とベビーカー同伴者とを識別させるボタンを設ける一方、行先階指定ボタンを共用する構成のものでもよい。
【００２６】
一方、運行制御系３０は、各号機の乗りかご２０を個別に運行制御する号機毎エレベータ制御装置３１及びこれら各号機のエレベータ制御装置３１から運行情報を取り込んで各乗りかご２０を最適に運行制御する群管理制御装置３２とが設けられている。また、群管理制御装置３２を設置することなく、各号機のエレベータ制御装置３１どうしの間で連携をとりながら、複数の乗りかご２０の中から最適な乗りかごを選択し運行制御することも可能である。
【００２７】
さらに、運行制御系３０は、ベビーカー同伴者のかご乗車に関し、群管理制御装置３２（各号機エレベータ制御装置であってもよい。）には、ベビーカー同伴者が乗車可能な乗りかご２０の利用人数に相当するかご利用可能データ及びベビーカー同伴者用ホールボタン１２、ベビーカー非利用者用ホールボタン１４から同時にかご呼び登録を受けたときに何れのかご呼びを先に受け付けるかの優先順位データ（例えば車いす利用者−ベビーカー同伴者−一般利用者の順位）を記憶する記憶手段３３が設けられ、また内部的には、ベビーカー同伴者用ホールボタン１２からかご呼び登録を受けた場合、少なくともかご利用可能データを参照し、ベビーカー同伴者が乗車可能な乗りかごを割付け、ベビーカー同伴者待機階に運転を指示する割付け運行制御手段３２ａが設けられている。
【００２８】
また、エレベータ制御装置３１側には、ベビーカー同伴者のかご乗車に関し、ホール側案内スピーカ１３及びかご内案内スピーカ２５から所要のタイミングでベビーカー同伴者のかご乗車に関する案内メッセージを報知する案内メッセージデータ及び少なくともベビーカー同伴者に対する戸開閉時間データを記憶する記憶手段３５が設けられ、内部的には、割付け運行制御手段３２ａからの運転指示に基づいて割り付けられた号機のホール側案内スピーカ１３からベビーカー同伴者が乗車する案内メッセージを報知するホール案内報知手段３１ａ、前記割付け運行制御手段３２ａからの運転指示に基づいてベビーカー同伴者待機階に移動する際、かご内案内スピーカ２５からベビーカー同伴者が乗車する案内メッセージを報知するかご内案内報知手段３１ｂ、ベビーカー同伴者が乗車した乗りかごが呼び階に到着したときに前記記憶手段３５に記憶される戸開閉時間データに従って戸開閉を行う戸開閉制御手段３１ｃが設けられている。
【００２９】
一方、エレベータ制御装置３１側には、ベビーカー同伴者の行先階の下車に関し、図５に示すようにかご内案内スピーカ２５から所要のタイミングで案内メッセージを報知する案内メッセージデータ及び前述する戸開閉時間データを記憶する前記記憶手段３５が設けられ、内部的には、かご内操作盤２１のベビーカー同伴者用かごボタン２３から行先階登録を受けた場合、ベビーカー同伴者が当該行先階に下車することを検出し、当該行先階の到着前にかご内案内スピーカ２５からベビーカー同伴者が下車する案内メッセージを報知する下車案内報知手段３１ｄ、乗りかごが前記行先階に到着した場合、ベビーカー同伴者に応じた戸開閉時間に従って戸開閉を行う戸開閉制御手段３１ｅが設けられている。
【００３０】
次に、以上のようなエレベータの運行管理システムの動作について説明する。
【００３１】
（１）  ベビーカー同伴者のかご乗車について（図４、図６参照）。
【００３２】
▲１▼  運用制御系３０は、所定の周期ごとにベビーカー同伴者がかご呼び登録をあったか否かを判断し（Ｓ１）、ベビーカー同伴者からかご呼び登録が無かった場合にはベビーカー非同伴者からかご呼び登録をあったか否かを判断し（Ｓ２）、同様にかご呼び登録が無かった場合にはステップＳ１に戻り、ベビーカー非同伴者からかご呼び登録をあった場合にはベビーカー非同伴者対応の運行制御を実施する（Ｓ３）。
【００３３】
ベビーカー同伴者がベビーカー同伴者用ホールボタン１２を操作してかご呼び登録を行った場合、ベビーカー同伴者からかご呼び登録有りと判断し（Ｓ１）、かご呼びの登録処理を行った後、各号機の乗りかご２０側に設けられている荷重検知器２６又は利用状況検出器からかご内利用人数に関係する利用状況を取り込み、この信号と記憶手段３３に記憶されるかご利用可能データとを比較し、何れの乗りかご２０でベビーカー同伴者の乗車が可能であるか、或いは最も少ない乗車人数の乗りかご２０が何れの乗りかごであるか否かを判断し、ベビーカーを乗車させる１つの乗りかご２０を割り付ける（割付け運行制御手段３２ａ）。ここで、群管理制御装置３２は、割り付けた１つの号機のエレベータ制御装置３１に対してベビーカー同伴者待機階へ運転を指示する（Ｓ４）。
【００３４】
従って、以上のような構成とすれば、ベビーカー同伴者がベビーカー同伴者用ホールボタン１２を操作すれば、複数の乗りかご２０の中からベビーカー乗車可能な乗りかご２０を割付けるので、ベビーカー同伴者が待機する階のエレベータホール１０に迅速に移動させることができ、ベビーカー同伴者が比較的容易に乗りかご２０に乗ることができ、さらに一般利用者にそれほど迷惑をかけずに利用できる。
【００３５】
▲２▼  以上のようにして割付けられた乗りかご２０に対応する号機のエレベータ制御装置３１は、ベビーカー同伴者が待機する階への運転指示を受けると、割付け号機のホールランタン１５及びベビーカーサービスランタン１６を点灯する（Ｓ５）とともに、前記記憶手段３５に記憶される案内メッセージを読み出し、エレベータホール１０側のホール側案内スピーカ１３から乗車案内（例えば左側にベビーカーが乗車するかごが到着しますなど）を通知する（Ｓ６：ホール案内報知手段３１ａ）。
【００３６】
従って、以上のようにしてベビーカーサービスランタン１６の点灯及び乗車案内放送により、ベビーカー同伴者が該当乗りかご２０の到着階ホールドア近くに速やかに移動でき、また当該到着階近傍のエレベータ利用者もベビーカー同伴者を最優先して乗りかごに乗車させる体制をとることが考えられ、ベビーカー同伴者がよりよいサービスを受けることが可能となる。
【００３７】
▲３▼  さらに、対応する号機のエレベータ制御装置３１は、該当乗りかご２０がベビーカー同伴者が待機する目的階到着前にかご内案内スピーカ２５からベビーカー同伴者が利用する旨の案内メッセージ（例えば次の階では、ベビーカー同伴者の乗車がありますのでご注意下さい。）を放送する（Ｓ７：かご案内報知手段３１ｂ）。
【００３８】
従って、割り付けられた号機のエレベータ制御装置３１が所要とする案内メッセージを読み出し、乗りかご２０のかご内案内スピーカ２５からベビーカー同伴者が乗車する旨を放送するので、該当乗りかご２０が目的階に到着した際、かごドアに近い利用者を含めてかご利用者がベビーカーの乗車可能なスベースを確保するような行動ないし準備をとっているので、ベビーカー同伴者がかごドア開後に安心、かつ、スムーズに乗車させることができ、ひいてはエレベータの運行効率を上げることができる。
【００３９】
▲４▼  その後、乗りかご２０が目的階に到着して戸開し、利用者が乗降するが、このとき、該当号機のエレベータ制御装置３１は、乗り場からのかご呼び段階でベビーカー乗車が登録済みとなっているので、予め記憶手段３５にベビーカー同伴者、車いす利用者、一般利用者向けの戸開閉時間データが設定されているので、ベビーカー同伴者向けの戸開閉時間データに基づき、一般利用者の戸開閉時間よりも長い戸開閉時間が経過したとき、戸閉指示を出し、戸閉を実施する（Ｓ８：戸開閉制御手段３１ｃ）。
【００４０】
従って、ベビーカー同伴者のかご利用時に一般利用者の戸開閉時間よりも長い戸開閉時間のもとに戸開閉を実施するので、ベビーカー同伴者が安心して乗りかご３０にベビーカーを乗車させることができる。
【００４１】
（２）  ベビーカー同伴者のかご降車について（図５、図７参照）。
【００４２】
▲１▼  乗りかごにベビーカー同伴者を乗せた後、戸開閉制御手段３１ｃによる戸閉実施後、該当号機のエレベータ制御装置３１は、かご内操作盤２１に設けられている一般利用者利用者用ボタン３２、ベビーカー同伴者用かごボタン２３から行先階（目的階）登録があったか否かを判断し（Ｓ１１）、ベビーカー同伴者用かごボタン２３から行先階登録が無い場合にはベビーカー非同伴者用かごボタン２２，２４から目的階登録があったか否かを判断し（Ｓ１２）、同様に目的階登録が無かった場合にはステップＳ１１に戻り、ベビーカー非同伴者からかご呼び登録をあった場合にはベビーカー非同伴者対応の運行制御を実施する（Ｓ１３）。
【００４３】
ステップＳ１１において、ベビーカー同伴者用かごボタン２３から行先階への登録を受けると、該当エレベータ制御装置３１は、当該目的階にてベビーカー同伴者が下車することを把握する一方、昇降方向及び近い階の順番に乗りかごを着床するように運転する。。
【００４４】
しかる後、乗りかご２０が目的階に近づくと、その目的階到着前に記憶手段３５から案内メッセージを読み出し、かご内案内スピーカ２５から案内メッセージ，例えば「次の階では、ベビーカーの乗降がありますのでご注意下さい。」を放送する（Ｓ１４：下車案内報知手段３１ｄ）。そして、該当乗りかごが目的階に到着すると、ベビーカー同伴者が下車するが、このとき、該当号機のエレベータ制御装置３１は、前述と同様にベビーカー同伴者向けの戸開閉時間データに基づき、一般利用者の戸開閉時間よりも長い戸開閉時間が経過したとき、戸閉指示を出し、戸閉を実施する（Ｓ１５：戸開閉制御手段３１ｅ）。この戸閉後、ベビーカー運転をクリアし、本来の通常運転に戻り、運行継続（Ｓ１６）の場合にはステップＳ１に移行し、同様の処理を繰り返す。
【００４５】
従って、以上のような実施の形態によれば、ベビーカー同伴者が乗車不可能な乗りかご２０を停止させることがなく、乗車可能な乗りかご２０をベビーカー同伴者の待機する階に移動させることができ、ベビーカー同伴者への確実なサービスを提供できる。また、ベビーカー同伴者の乗りかごへの乗車及び行先階への下車に対し、ホール及び乗りかご内に適切な案内メッセージを放送するので、一般利用者に対して適切な誘導を促し、エレベータの運行効率を大幅に向上させることができる。
【００４６】
なお、本願発明は、上記実施の形態に限定されるものでなく、その要旨を逸脱しない範囲で種々変形して実施できる。上記実施の形態では、ベビーカー同伴者だけでなく、例えば買物用のカートを使用する利用客に対しても同様に適用でき、乗りかごの割付効率を上げることができる。
【００４７】
また、各実施の形態は可能な限り組み合わせて実施することが可能であり、その場合には組み合わせによる効果が得られる。さらに、上記各実施の形態には種々の上位，下位段階の発明が含まれており、開示された複数の構成要素の適宜な組み合わせにより種々の発明が抽出され得るものである。例えば問題点を解決するための手段に記載される全構成要件から幾つかの構成要件が省略されうることで発明が抽出された場合には、その抽出された発明を実施する場合には省略部分が周知慣用技術で適宜補われるものである。
【００４８】
【発明の効果】
以上説明したように本発明によれば、ベビーカー同伴者を一般利用者と区別し、各利用者毎に最適なサービスを実現できるエレベーの運行管理システムを提供できる。
【図面の簡単な説明】
【図１】本発明に係るエレベーの運行管理システムの一実施の形態を示す全体構成図。
【図２】乗りかご内操作盤の利用者別ボタンと運用制御系との関係を示す図。
【図３】乗りかご内操作盤やエレベータホールの各号機対応のホール壁に設けられる一般利用者用とベビーカー同伴者用の操作ボタンの２つの例を示す正面図。
【図４】本発明に係るエレベーの運行管理システムにおけるベビーカー同伴者のかご乗車に関係する構成を説明する図。
【図５】本発明に係るエレベーの運行管理システムにおけるベビーカー同伴者のかご下車に関係する構成を説明する図。
【図６】本発明に係るエレベーの運行管理システムにおけるベビーカー同伴者のかご乗車に関係する動作を説明するフローチャート。
【図７】本発明に係るエレベーの運行管理システムにおけるベビーカー同伴者のかご下車に関係する動作を説明するフローチャート。
【符号の説明】
１０…エレベータホール、１１…ホールドア、１２…ベビーカー同伴者用ホールボタン、１３…ホール側案内スピーカ、１４…ベビーカー非同伴者用ホールボタン、１５…ホールランタン、１６…ベビーカーサービスランタン、２０…乗りかご、２１…かご操作盤、２２（２２Ａ）…一般利用者用かごボタン、２３（２３Ａ）…ベビーカー同伴者用かごボタン、２４（２４Ａ）…車いす利用者用かごボタン、２５…かご内案内スピーカ、２６…荷重検出器、３０…運行制御系、３１…エレベータ制御装置、３２…群管理制御装置。
【図１】
2004250150.tif 000003
【図２】
2004250150.tif 000004
【図３】
2004250150.tif 000005
【図４】
2004250150.tif 000006
【図５】
2004250150.tif 000007
【図６】
2004250150.tif 000008
【図７】
2004250150.tif 000009